(57)【要約】本発明は、通信システムにおいて実行されるオンデマンド処理方法並びに対応するユーザ装置及び基地局を提供する。ユーザ装置によって実行されるオンデマンド処理を行う方法は、基地局がオンデマンドシグナリングを送信するようにトリガするためのオンデマンドシグナリングトリガ信号を送信することと、前記基地局によって送信される前記オンデマンドシグナリングを受信することと、前記基地局によって送信されるオンデマンドシグナリングに応じて、オンデマンド処理を行うことと、を含む。
2020505846.tif 000002
【特許請求の範囲】
【請求項１】
ユーザ装置によって実行されるオンデマンド処理を行う方法であって、
基地局がオンデマンドシグナリングを送信するようにトリガするためのオンデマンドシグナリングトリガ信号を送信することと、
前記基地局によって送信される前記オンデマンドシグナリングを受信することと、
前記基地局によって送信されるオンデマンドシグナリングに応じて、オンデマンド処理を行うことと、
を含む方法。
【請求項２】
前記オンデマンドシグナリングトリガ信号を送信することは、
上り制御チャネルで前記オンデマンドシグナリングトリガ信号を送信することを含む、請求項１に記載の方法。
【請求項３】
前記上り制御チャネルはランダムアクセスチャネルであり、前記上り制御チャネルで前記オンデマンドシグナリングトリガ信号を送信することは、
ランダムアクセスチャネルにおいて、予め定められたランダムアクセスチャネルの時間領域、周波数領域のリソース及び／又はランダムアクセスプリアンブルとオンデマンド処理内容との対応関係に応じて、対応するランダムアクセスチャネルの時間領域、周波数領域のリソース及び／又はランダムアクセスプリアンブルを利用して、特定のオンデマンドシグナリングトリガ信号を送信することを含む、請求項２に記載の方法。
【請求項４】
前記上り制御チャネルはランダムアクセスチャネルであり、前記上り制御チャネルで前記オンデマンドシグナリングトリガ信号を送信することは、
ランダムアクセスチャネルに、トリガする必要があるオンデマンドシグナリングに対応する要求識別子に関する情報が含まれることを含む、請求項２に記載の方法。
【請求項５】
前記ランダムアクセスチャネルに、トリガする必要があるオンデマンドシグナリングに対応する要求識別子に関する情報が含まれることは、
ランダムアクセスチャネルに、ランダムアクセスを行うか否かを指示するためのランダムアクセス指示子に関する情報がさらに含まれることを含む、請求項４に記載の方法。
【請求項６】
前記上り制御チャネルで前記オンデマンドシグナリングトリガ信号を送信することは、
ランダムアクセスチャネルと異なる他の上り制御チャネルに、トリガする必要があるオンデマンドシグナリングに対応する要求識別子に関する情報が含まれ、前記他の上り制御チャネルにＵＥ識別子に関する情報が含まれないことを含む、請求項２に記載の方法。
【請求項７】
前記オンデマンドシグナリングトリガ信号を送信することは、
上り参照信号を送信する時、トリガする必要があるオンデマンドシグナリングに対応する要求識別子に関する情報を送信することを含む、請求項１に記載の方法。
【請求項８】
前記トリガする必要があるオンデマンドシグナリングに対応する要求識別子に関する情報を送信することは、
前記要求識別子により前記上り参照信号をスクランブルすることを含む、請求項７に記載の方法。
【請求項９】
前記基地局によって送信される前記オンデマンドシグナリングを受信することは、
前記オンデマンドシグナリングトリガ信号を送信した後、所定の時間帯内で前記基地局によって送信される前記オンデマンドシグナリングを検出することを含む、請求項１に記載の方法。
【請求項１０】
前記基地局によって送信される前記オンデマンドシグナリングを受信していない場合、前記基地局との接続に成功したか否かを判断することと、
前記基地局との接続に成功した後、前記オンデマンドシグナリングトリガ信号を繰り返し送信しないことと、
をさらに含む、請求項１に記載の方法。
【請求項１１】
前記基地局によって送信される前記オンデマンドシグナリングを受信していない場合、所定の時間又は周期内で前記オンデマンドシグナリングトリガ信号を繰り返し送信することと、
所定の時間又は回数の後に、前記基地局によって送信される前記オンデマンドシグナリングを依然として受信できなかった場合、前記オンデマンドシグナリングトリガ信号の送信電力を増加することと、
をさらに含む、請求項６に記載の方法。
【請求項１２】
基地局によって実行されるオンデマンド処理を行う方法であって、
ユーザ装置によって送信されるオンデマンドシグナリングトリガ信号を受信することと、
前記ユーザ装置が前記オンデマンドシグナリングに応じてオンデマンド処理を行うように、前記オンデマンドシグナリングトリガ信号に応じて前記オンデマンドシグナリングを送信することと、
を含む方法。
【請求項１３】
基地局がオンデマンドシグナリングを送信するようにトリガするためのオンデマンドシグナリングトリガ信号を送信する送信部と、
前記基地局によって送信される前記オンデマンドシグナリングを受信する受信部と、
前記基地局によって送信されるオンデマンドシグナリングに応じて、オンデマンド処理を行う処理部と、
を備えるユーザ装置。
【請求項１４】
ユーザ装置によって送信されるオンデマンドシグナリングトリガ信号を受信する受信部と、
前記ユーザ装置が前記オンデマンドシグナリングに応じてオンデマンド処理を行うように、前記オンデマンドシグナリングトリガ信号に応じて前記オンデマンドシグナリングを送信する送信部と、
を備える基地局。
【発明の詳細な説明】
【技術分野】
【０００１】
本発明は、通信分野に関し、具体的には、通信システムにおいて実行されるオンデマンド処理方法並びに対応するユーザ装置及び基地局に関する。
【背景技術】
【０００２】
５Ｇ新無線（ＮＲ：Ｎｅｗ  Ｒａｄｉｏ）のシナリオにおいて、ＵＥは、アイドル（ＩＤＬＥ）状態、非アクティブ（ＩＮＡＣＴＩＶＥ）状態及び接続（ＣＯＮＮＥＣＴＥＤ）状態という３つの異なる状態を持つことができる。アイドル状態では、ネットワーク側はＵＥのユーザ識別子を知らず、ＵＥは基地局からのシステム情報ブロードキャスト（ＭＩＢ及び一部のＳＩＢ）を周期的にモニタし、低消費電力モードにある。非アクティブ状態では、ネットワーク側はＵＥのユーザ識別子を知っているので、ＵＥは非アクティブであっても、上りチャネル品質測定信号ＳＲＳなどの上り参照信号を送信することができる。接続状態では、ＵＥはデータを正常に送受信する。
【０００３】
しかし、５Ｇにおけるシングルビームのシナリオについても、マルチビームのシナリオについても、ＵＥ、特にアイドル状態及び非アクティブ状態のＵＥにとって、ネットワークにおける基地局よって送信されるすべてのシグナリングがいずれも常時接続（ａｌｗａｙｓ−ｏｎ）の状態にある場合、通信システムのエネルギー消費が過大となり、システムにおける過度なネットワークの干渉を招来する。
【０００４】
そのため、エネルギーを節約し、かつ、ネットワークの干渉をできる限り回避することができるシグナリング処理方法は必要とされている。
【発明の概要】
【０００５】
本発明の一局面によれば、基地局がオンデマンドシグナリングを送信するようにトリガするためのオンデマンドシグナリングトリガ信号を送信することと、前記基地局によって送信される前記オンデマンドシグナリングを受信することと、前記基地局によって送信されるオンデマンドシグナリングに応じて、オンデマンド処理を行うことと、を含むユーザ装置によって実行されるオンデマンド処理を行う方法が提供される。
【０００６】
本発明の他の一局面によれば、ユーザ装置によって送信されるオンデマンドシグナリングトリガ信号を受信することと、前記ユーザ装置が前記オンデマンドシグナリングに応じてオンデマンド処理を行うように、前記オンデマンドシグナリングトリガ信号に応じて前記オンデマンドシグナリングを送信することと、を含む基地局によって実行されるオンデマンド処理を行う方法が提供される。
【０００７】
本発明の他の一局面によれば、基地局がオンデマンドシグナリングを送信するようにトリガするためのオンデマンドシグナリングトリガ信号を送信する送信部と、前記基地局によって送信される前記オンデマンドシグナリングを受信する受信部と、前記基地局によって送信されるオンデマンドシグナリングに応じて、オンデマンド処理を行う処理部と、を備えるユーザ装置が提供される。
【０００８】
本発明の他の一局面によれば、ユーザ装置によって送信されるオンデマンドシグナリングトリガ信号を受信する受信部と、前記ユーザ装置が前記オンデマンドシグナリングに応じてオンデマンド処理を行うように、前記オンデマンドシグナリングトリガ信号に応じて前記オンデマンドシグナリングを送信する送信部と、を備える基地局が提供される。
【０００９】
本発明の実施例によって提供される通信システムにおけるオンデマンド処理を行う方法並びに対応するユーザ装置及び基地局によれば、ユーザ装置が基地局をトリガすることにより、通信システムにおける一部のシグナリングがオンデマンドシグナリングの形式で伝送されるようにすることができ、これにより、システムのエネルギー消費を低減し、従来技術における常時接続シグナリングによるネットワークの干渉を減少する。
【図面の簡単な説明】
【００１０】
図面を参照して本発明の実施例をさらに詳細に説明することにより、本発明の上記及び他の目的、特徴及び利点は、より明らかになる。図面は、本発明の実施例への更なる理解に供し、明細書の一部を構成し、本発明の実施例とともに本発明を解釈するためのものであり、本発明を制限するものではない。図面において、同じ符号は、通常同じ要素又はステップを示す。
【図１】本発明の実施例に係るＵＥによって実行されるオンデマンド処理を行う方法である。
【図２】従来のＬＴＥの競合ベースランダムアクセス手順の伝送ステップの模式図である。
【図３】５Ｇ  ＮＲの適用シナリオにおけるランダムアクセス手順の伝送ステップの模式図である。
【図４】５Ｇ  ＮＲのｍＭＴＣ又はＵＲＬＬＣのシナリオにおけるランダムアクセス手順の伝送ステップの模式図である。
【図５】本発明の実施例におけるランダムアクセスチャネルリソースとオンデマンドシグナリングとの対応関係の模式図であり、（ａ）がランダムアクセスチャネルリソース及びプリアンブル自体の組み合わせと異なるオンデマンドシグナリングの組み合わせとの対応関係を示し、（ｂ）がランダムアクセスチャネルリソース及びプリアンブル自体の組み合わせとＲＡ及び異なるオンデマンドシグナリングのうち１つ又は２つの機能との対応関係を示し、（ｃ）がランダムアクセスチャネルリソース及びプリアンブル自体の組み合わせと異なるオンデマンドシグナリング及びそれに対応するパラメータとの間の対応関係を示す。
【図６】本発明の実施例における５Ｇ  ＮＲの適用シナリオにおいて実行されるオンデマンド処理方法の伝送ステップの模式図である。
【図７】本発明の実施例における５Ｇ  ＮＲのｍＭＴＣ又はＵＲＬＬＣのシナリオにおいて実行されるオンデマンド処理方法の伝送ステップの模式図である。
【図８】本発明の実施例におけるメッセージ送信フォーマットの模式図であり、ここで、（ａ）は、プリアンブル及び/又は各部分の内容のそれぞれの間にはサイクリックプレフィックスＣＰが設けられ、末尾にはガードタイムＧＴが設けられる場合の模式図を示し、（ｂ）は、プリアンブル及び/又は各部分の内容のそれぞれの間にはＣＰ及びＧＴが設けられる様子の模式図を示し、（ｃ）は、プリアンブル及び全部の内容の全体の前後にはＣＰ及びＧＴそれぞれ１つしか設けられない様子の模式図を示し、（ｄ）は、プリアンブルと全部の内容との間にはサイクリックプレフィックスＣＰが設けられ、末尾にガードタイムＧＴが設けられる様子の模式図を示す。
【図９】本発明の実施例に係るオンデマンド処理方法におけるＵＥ及び基地局のシグナリングの伝送の模式図であり、ここで、（ａ）は、ＵＥが受信タイミングウィンドウＸ内でオンデマンドシグナリングの受信を期待し、（ｂ）において、ＵＥがいくつかの所定の狭いＸ周期内でオンデマンドシグナリングの受信を期待する。
【図１０】本発明の実施例に係る基地局によって実行されるオンデマンド処理を行う方法である。
【図１１】本発明の実施例に係るＵＥの構成ブロック図である。
【図１２】本発明の実施例に係る基地局の構成ブロック図である。
【図１３】本発明の実施例に係るＵＥ及び基地局のハードウェア構成を示す例示図である。
【発明を実施するための形態】
【００１１】
以下、本発明の目的、発明特定事項及び利点をさらに明確にするために、図面を参照して本発明に係る例示的な実施例を詳細に説明する。言うまでもないが、説明される実施例は、単なる本発明の一部の実施例であり、本発明の全部の実施例ではない。なお、本発明は、ここで説明される例示的な実施例によって制限されないことは理解されるべきである。本発明において説明される本発明の実施例に基づいて、当業者が創造的な労働を貢献せずに取得したすべての他の実施例は、いずれも本発明の保護範囲内に含まれるべきである。
【００１２】
５Ｇ  ＮＲのシナリオにおいて、エネルギー消費を減少し、干渉を回避する目的を達成するために、上記アイドル状態及び非アクティブ状態のＵＥに対して、本出願の発明者は、システムの省エネルギーのニーズを考慮し、常時接続（ａｌｗａｙｓ−ｏｎ）シグナリングによるネットワークの干渉をできる限り減少するように一部のシグナリングを常時接続の形式からＵＥの要求に応じるオンデマンド（ｏn-ｄｅmａnｄ）シグナリングの形式に変換して伝送することを希望する。本発明の実施例のオンデマンドシグナリングは、イントラ周波数測定、インター周波数測定、Ｉｎｔｅｒ-ＲＡＴ測定、セル再選択などのシステム情報（例えば、ＬＴＥシステムにおけるＳＩＢ３〜ＳＩＢ８に類似）、及びモビリティに対する測定参照信号（ＭＲＳ）などを含んでもよいが、これらに限定されない。
【００１３】
こうしてみれば、上記シナリオにおいて、ＵＥは、何らかのトリガ方式により、基地局が対応するオンデマンドシグナリングを送信するようにトリガしてオンデマンド処理を行う必要がある。本発明の実施例は、ユーザ装置と基地局との間の情報インタラクティブを利用して基地局のオンデマンドシグナリングの伝送をトリガするための、ユーザ装置及び基地局によって実行されるオンデマンド処理を行う方法を提供する。
【００１４】
図１は、本発明の実施例に係るＵＥによって実行されるオンデマンド処理を行う方法を示している。当該方法により、ＵＥは、オンデマンドシグナリングトリガ信号を送信することで、基地局のオンデマンドシグナリングの伝送をトリガして、オンデマンド処理を行うことができる。
【００１５】
図１に示すように、ステップＳ１０１において、ＵＥは、基地局がオンデマンドシグナリングを送信するようにトリガするためのオンデマンドシグナリングトリガ信号を基地局に送信する。
【００１６】
本発明の実施例において、好ましくは、ＵＥは、アイドル状態又は非アクティブ状態のＵＥであってもよい。このステップにおいて、ＵＥから基地局に送信されるオンデマンドシグナリングトリガ信号は、複数の形式により送信することができる。例えば、ＵＥは、上り制御チャネル（ランダムアクセスチャネルを含む）又は上り共有チャネルなどによりオンデマンドシグナリングトリガ信号を送信してもよく、また、ＵＥは、上り参照信号でオンデマンドシグナリングトリガ信号を送信してもよい。ＵＥがオンデマンドシグナリングトリガ信号を送信する方式は、明示的又は暗黙的であってもよい。ランダムアクセスチャネル（ＲＡＣＨ）を例として、ＵＥは、ランダムアクセスチャネルにおけるＭｓｇ.１によりオンデマンドシグナリングトリガ信号を明示的又は暗黙的に送信してもよい。
【００１７】
図２〜図４は、アイドル状態又は非アクティブ状態のＵＥがランダムアクセスを行うシナリオを示している。例えば、従来のＬＴＥの競合ベースランダムアクセス手順において、図２に示すような４つのステップ、すなわち、ＵＥがＭｓｇ.１でランダムアクセス手順のランダムアクセスプリアンブル（ＲＡ  ｐｒｅａｍｂｌｅ）を基地局に送信するステップ（１）と、基地局がＤＬ-ＳＣＨによりＭｓｇ.２でランダムアクセスレスポンス（ＲＡＲ）を送信して使用可能な上りリソース情報をＵＥに通知するステップ（２）と、ＵＥがランダムアクセスレスポンスを受信した後、ランダムアクセスレスポンスメッセージによって指定される上りリソースＵＬ-ＳＣＨでＵＥの一意識別子が含まれるＭｓｇ.３を送信するステップ（３）と、衝突を解決するために、基地局がＤＬ-ＳＣＨによりＭｓｇ.４を端末に送信するステップ（４）と、を含むことができる。なお、従来のＬＴＥの非競合ベースランダムアクセス手順において、図２に示す最初の２つのステップしか含まなくてもよく、Ｍｓｇ.３及びＭｓｇ.４の送受信手順が必要ではない。
【００１８】
しかし、５Ｇ  ＮＲの適用シナリオにおいて、ＵＥのアクセス遅延時間を減少し、小さなデータをできるだけ早速に送信できるように、図３に示す２ステップのランダムアクセス手順の採用が考えられ、具体的には、このランダムアクセス手順は、ＵＥがＭｓｇ.１でランダムアクセス手順のランダムアクセスプリアンブル（ＲＡ  ｐｒｅａｍｂｌｅ）及びＵＥ  ＩＤ、又は他の制御情報を基地局に送信するステップ（１）と、基地局がＭｓｇ.２でランダムアクセスレスポンス（ＲＡＲ）をＵＥに送信するステップ（２）を含み、ここのＲＡＲは、従来のＬＴＥシナリオにおけるものと異なる可能性がある。
【００１９】
また、ｍＭＴＣ又はＵＲＬＬＣのシナリオについてのｇｒａｎｔ-ｆｒｅｅの伝送では、図４に示すような１ステップのランダムアクセス手順、すなわち、ＵＥによってＭｓｇ.１でランダムアクセス手順のランダムアクセスプリアンブル（ＲＡ  ｐｒｅａｍｂｌｅ）、制御チャネル（ＣＣＨ）及びデータを基地局に送信するステップも考えられる。ここで、ＣＣＨには、ＵＥ  ＩＤやバッファ状態報告（ＢＳＲ）、ＵＥ制御情報などが含まれてもよい。Ｍｓｇ.１で送信されるデータは、非常に小さいデータパケット、例えば数ビット又は数十ビットのデータであってもよく、これにより、ＵＥが基地局によるリソースの割当を必要とせずに小さいデータパケットを送信できる。図４に示すランダムアクセス手順において、基地局は、ＵＥにＲＡＲをフィードバックしてもよいし、ＲＡＲをフィードバックしなくてもよい。
【００２０】
本発明の実施例において、上記図２〜図４に示すランダムアクセス手順のいずれについても、ＵＥは、基地局が対応するオンデマンドシグナリングを送信するようにトリガするために、その中のＭｓｇ.１によりオンデマンドシグナリングトリガ信号を送信することができる。本発明の一実施例において、ＵＥは、暗黙的な方法により基地局にオンデマンドシグナリングトリガ信号を送信してもよい。例えば、ＵＥは、予め決定されたランダムアクセスチャネルリソース（時間/周波数/プリアンブル）とオンデマンドシグナリングとの対応関係に応じて、オンデマンドシグナリングトリガ信号を暗黙的に送信してもよいし、オンデマンドシグナリングトリガ信号をスクランブリングする方法により前記オンデマンドシグナリングトリガ信号を送信してもよい。ここで、予め決定されたランダムアクセスチャネルリソース（時間/周波数/プリアンブル）とオンデマンドシグナリングとの対応関係により前記オンデマンドシグナリングトリガ信号を暗黙的に送信することを例として、図５は、本発明の実施例におけるランダムアクセスチャネルリソースとオンデマンドシグナリングとの対応関係の模式図を示している。図５（ａ）におけるＲＡ  ｐｒｅａｍｂｌｅの異なる時間/周波数リソース及びプリアンブル自体の組み合わせは、それぞれオンデマンドシグナリング（ＳＩ_ｘ、ＳＩ_ｙ、ＭＲＳなど、ただし、ＳＩ_ｘ、ＳＩ_ｙが異なるシステムメッセージを表す）のうち１つ又は複数を同時にサポートすることができ、図５（ｂ）におけるＲＡ  ｐｒｅａｍｂｌｅの異なる時間/周波数リソース及びプリアンブル自体の組み合わせは、それぞれＲＡ及びオンデマンドシグナリングのうち１つ又は２つの機能を同時にサポートすることができる。図５（ｃ）におけるＲＡ  ｐｒｅａｍｂｌｅの異なる時間/周波数リソース及びプリアンブル自体の組み合わせは、異なる周期パラメータ（例えば、基地局がオンデマンドシグナリングを送信する周期、インターバルなど）の設定などもサポートすることができる。図５に示すランダムアクセスチャネルリソースとオンデマンドシグナリングとの対応関係のテーブルは、単なる例示的なものであり、実際の適用において、上記テーブルにおける各種のオンデマンド機能内容と他の機能との分割又は任意の組み合わせであってもよく、テーブルに示す内容に限定されるものではない。上記対応関係は、予め基地局側及びＵＥ側にそれぞれ記憶されてもよいし、実際の状況に応じて基地局によって例えばａｌｗａｙｓ−ｏｎのＭＩＢ及びＳＩＢで通知されてもよい。ＵＥは、基地局がランダムアクセスチャネルの時間/周波数リソース及びプリアンブルの組み合わせに対応するオンデマンドシグナリングを送信するか又は対応する他の機能を実現するようにトリガするために、上記対応関係によりトリガする必要のあるオンデマンドシグナリングに応じて対応する当該組み合わせを決定し、組み合わせにおける所定の時間/周波数リソースで対応するＲＡ  ｐｒｅａｍｂｌｅを送信することができる。
【００２１】
本発明の他の一実施例において、ＵＥは、明示的な方法によりオンデマンドシグナリングトリガ信号を基地局に送信する。例えば、ＵＥは、上り制御チャネルにトリガする必要のあるオンデマンドシグナリングに対応する要求識別子（Ｒｅｑｕｅｓｔ  ＩＤ）の情報を追加する方法によりオンデマンドシグナリングトリガ信号を明示的に送信する。好ましくは、上り制御チャネルは、ランダムアクセスチャネルであってもよいし、ランダムアクセスチャネルと異なる他の上り制御チャネルであってもよい。同様に、要求識別子とオンデマンドシグナリングとの対応関係は、予め定義されてもよく、図５に示すものと同様に、要求識別子の異なるフィールドは、例えば、図５（ａ）におけるオンデマンドシグナリング（ＳＩ_ｘ、ＳＩ_ｙ、ＭＲＳ）のうち１つ又は複数の機能、図５（ｂ）におけるＲＡ及びオンデマンドシグナリングのうち１つ又は２つの機能、図５（ｃ）における異なる周期パラメータ（例えば、基地局がオンデマンドシグナリングを送信する周期）の設定などの各種の機能の分割又は組み合わせの形式の実現をサポートすることができ、ここでは詳しく説明しない。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。例えば、８種の機能の組み合わせを実現したいとき、Ｒｅｑｕｅｓｔ  ＩＤのビットは、３であってもよいが、１２種の機能の組み合わせを実現したいとき、Ｒｅｑｕｅｓｔ  ＩＤのビットが４であることが必要となる。具体的には、ＵＥがＳＩ_ｘ及びＭＲＳの送信を実現したいとき、Ｒｅｑｕｅｓｔ  ＩＤは、１１００であってもよい。ＵＥがＳＩ_ｘ、ＳＩ_ｙ及びＭＲＳの送信を実現したいとき、Ｒｅｑｕｅｓｔ  ＩＤは、１１１１であってもよい。ＵＥは、基地局がこのＲｅｑｕｅｓｔ  ＩＤに対応するオンデマンドシグナリングを送信するか又は対応する他の機能を実現するようにトリガするために、上記対応関係によりトリガする必要のあるオンデマンドシグナリングに応じて、例えばランダムアクセスチャネルの上り制御チャネルに、対応するＲｅｑｕｅｓｔ  ＩＤを追加することができる。ここで、図３及び図４において、対応するランダムアクセス手順では、ランダムアクセスチャネルへの内容追加をサポートすることができるため、本発明の実施例では、図３及び図４におけるランダムアクセスシナリオへの適用をサポートすることができ、具体的な適用方法については、それぞれ図６及び図７を参照する。
【００２２】
好ましくは、上記本発明の実施例のランダムアクセスチャネルへの適用において、Ｒｅｑｕｅｓｔ  ＩＤの予め定義された設定によりＲＡ及びオンデマンドシグナリングトリガの単一選択又は複数選択の機能を実現してもよいし、Ｒｅｑｕｅｓｔ  ＩＤを付加したうえで、ランダムアクセス指示子を追加する形式により、いったいＵＥよって送信されるＭｓｇ.１が単にオンデマンドシグナリングをトリガするように要求するか、それともランダムアクセスを同時に要求するかを指示する。例えば、ランダムアクセスチャネルにおいて、１ビットのランダムアクセス指示子をさらに追加することができ、当該ランダムアクセス指示子が１であるとき、単にＲｅｑｕｅｓｔ  ＩＤに応じて対応するオンデマンドシグナリングをトリガするだけ、ランダムアクセスを要求しないことを示すことができ、ランダムアクセス指示子が０であるとき、Ｒｅｑｕｅｓｔ  ＩＤに応じて対応するオンデマンドシグナリングをトリガするだけではなく、さらにＵＥのランダムアクセスを要求することを示すことができる。このランダムアクセス指示子の設定及び適用は、同様に、図３及び図４におけるランダムアクセスシナリオに適用することもできる。
【００２３】
なお、ＵＥが明示的な方法によりオンデマンドシグナリングトリガ信号を基地局に送信する他の一実施例において、図２に示す従来のＬＴＥの４ステップランダムアクセスのシナリオについて、ＵＥは、基地局に対して対応するオンデマンドシグナリングをトリガすることを実現するために、最初の２ステップが完成した後、第３ステップの上り共有チャネルに、対応するＲｅｑｕｅｓｔ  ＩＤ情報が含まれるようにすることができる。ここで、Ｒｅｑｕｅｓｔ  ＩＤとオンデマンドシグナリングとの対応関係も同様に、予め定義されてもよく、その具体的な定義方法は、上記と同様である。本実施例において、Ｒｅｑｕｅｓｔ  ＩＤのビット数は、厳格に限定されない。
【００２４】
また、本発明の他の一実施例において、上記ＲＡ  ｐｒｅａｍｂｌｅの意味によって再定義されるチャネルを利用してオンデマンドシグナリングのトリガを実現してもよい。具体的には、基地局がオンデマンドシグナリングを送信するようにトリガするために、ランダムアクセスチャネルと異なる他の上り制御チャネルを利用して、ランダムアクセスプリアンブル及びトリガする必要のあるオンデマンドシグナリングに対応する要求識別子（Ｒｅｑｕｅｓｔ  ＩＤ）が含まれる情報を送信してもよい。当然のことながら、時間領域、周波数領域及び/又はランダムアクセスプリアンブルの異なる対応関係を利用してオンデマンドシグナリングの暗黙的なトリガを行ってもよい。ここで、ランダムアクセスプリアンブルの意味は、上記と同様であり、要求識別子とオンデマンドシグナリングとの対応関係は、予め定義されてもよく、同様に、各種の予め定義されたオンデマンドシグナリングの機能の組み合わせは、例えばオンデマンドシグナリング（ＳＩ_ｘ、ＳＩ_ｙ、ＭＲＳなど）における１つ又は複数の機能の実現をサポートし、又は異なる周期パラメータの設定などの各種の分割又は組み合わせの形式をさらにサポートすることができる。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したいオンデマンドシグナリングの機能の組み合わせの数によって決められる。ＵＥは、基地局が当該Ｒｅｑｕｅｓｔ  ＩＤに対応するオンデマンドシグナリングを送信するようにトリガするために、上記対応関係によりトリガする必要のあるオンデマンドシグナリングに応じて対応するＲｅｑｕｅｓｔ  ＩＤを決定することができる。本発明の実施例において、ＵＥによって送信されるメッセージには、ＵＥ  ＩＤの情報が含まれないため、本実施例は、ＵＥの基地局に対するオンデマンドシグナリングトリガ機能のみを実現し、ランダムアクセスを要求しない。それに応じて、要求識別子に対応する機能の組み合わせの選択肢には、ランダムアクセス機能が含まれず、基地局は、ＲＡＲをＵＥにフィードバックしない。
【００２５】
上記実施例に記載されるように、ＵＥが、ＲＡ  ｐｒｅａｍｂｌｅ、ＵＥ  ＩＤ及び/又はＲｅｑｕｅｓｔ  ＩＤが含まれるメッセージを送信する必要があるとき、送信されるメッセージの構造については、各種の異なるフォーマットがあってもよい。図８は、ｐｒｅａｍｂｌｅ、ＵＥ  ＩＤ及び/又はＲｅｑｕｅｓｔ  ＩＤが含まれる異なるフォーマットの表現形式を示している。例えば、図８（ａ）に示すフォーマットにおいて、プリアンブル及び/又は各部分の内容のそれぞれの間には、サイクリックプレフィックスＣＰが設けられ、ガードタイムＧＴが最後に位置していることができ、図８（ｂ）に示すようなフォーマットにおいて、プリアンブル及び/又は各部分の内容のそれぞれの間に、ＣＰ及びＧＴが設けられることができ、図８（ｃ）に示すようなフォーマットにおいて、プリアンブル及び全部の内容の全体の前後にはＣＰ及びＧＴそれぞれ１つしか設けられないことができ、図８（ｄ）に示すフォーマットにおいて、プリアンブルと全部の内容との間にはサイクリックプレフィックスＣＰが設けられ、ガードタイムＧＴが最後に位置していることなどができる。上記各種のフォーマットの設定は、単なる例示的なものであり、実際の適用において任意のＣＰ、ＧＴ、プリアンブル及び内容の各部分の異なる並べ替え及び組み合せの方法を採用してもよい。
【００２６】
上記実施例のいずれもランダムアクセス手順又はランダムアクセスメッセージについての例示である。また、非アクティブ状態のＵＥについては、上り参照信号、例えばＳＲＳを送信することができるため、ＵＥは、予め定義された要求識別子（Ｒｅｑｕｅｓｔ  ＩＤ）とオンデマンドシグナリングとの対応関係により、上り参照信号でトリガする必要のあるオンデマンドシグナリングに対応する要求識別子の情報を送信することができる。要求識別子とオンデマンドシグナリングとの対応関係は、同様に予め定義されてもよく、各種の予め定義されたオンデマンドシグナリングの機能の組み合わせは、同様に例えばオンデマンドシグナリング（ＳＩ_ｘ、ＳＩ_ｙ、ＭＲＳなど）における１つ又は複数の機能の実現をサポートし、又は異なる周期パラメータの設定などの各種の分割又は組み合わせの形式をさらにサポートすることができる。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。ＵＥは、基地局が当該組み合わせに対応するオンデマンドシグナリングを送信するようにトリガするために、上記対応関係によりトリガする必要のあるオンデマンドシグナリングに応じて、対応するＲｅｑｕｅｓｔ  ＩＤを決定し、上り参照信号にＲｅｑｕｅｓｔ  ＩＤ情報を持たせることができる。具体的には、ＵＥは、Ｒｅｑｕｅｓｔ  ＩＤでＳＲＳ系列をスクランブリングすることができる。当然のことながら、このような実施形態は、単なる例示的なものであり、ＵＥは、Ｒｅｑｕｅｓｔ  ＩＤの情報を持つ目的を実現するために、他の任意の方法を採用してもよい。
【００２７】
図１に戻り、ステップＳ１０２において、ＵＥが前記基地局によって送信される前記オンデマンドシグナリングを受信する。
【００２８】
具体的には、ランダムアクセス手順において、ＵＥが上り制御チャネルでランダムアクセス要求とともに前記オンデマンドシグナリングトリガ信号を送信するとき、基地局は、ＲＡＲをフィードバックすると同時にオンデマンドシグナリングを送信することができ、それに応じて、ＵＥは、基地局よって送信されるＲＡＲ及びオンデマンドシグナリングを同時に受信し、処理を行う。また、例えば、ＵＥが上り制御チャネルでランダムアクセス要求とともに前記オンデマンドシグナリングトリガ信号を送信するにせよ、上り共有チャネルのＭｓｇ.３でオンデマンドシグナリングトリガ信号を同時に送信するにせよ、基地局は、いずれの場合にもＭｓｇ.４とともにオンデマンドシグナリングを同時に送信することができ、ＵＥは、基地局から返信されるＭｓｇ.４及びオンデマンドシグナリングを同時に受信し、処理を行うことができる。
【００２９】
図９に示すように、ＵＥは、前記オンデマンドシグナリングトリガ信号を送信した後、送信時間のＹ時間帯後のＸタイミングウィンドウ内で基地局よって送信されるオンデマンドシグナリングを受信することを期待でき（図９（ａ））、ここで、基地局がオンデマンドシグナリングを送信する方法は、一次的なものであってもよいし、周期的なものであってもよい。なお、ＵＥによる情報受信の複雑度を低減させるために、ＵＥは、いくつかの予め定義された狭いＸタイミングウィンドウ内で基地局よって送信されるオンデマンドシグナリングを受信することを期待でき（図９（ｂ））、これらＸタイミングウィンドウは、周期的（Ｚ）に配列されるものであってもよい。上記所定の時間帯、タイミングウィンドウ及び周期は、いずれも基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。
【００３０】
好ましくは、図１に示すオンデマンド処理を行う方法は、以下のことをさらに含んでもよい。上記に限定されるタイミングウィンドウ内で、ＵＥが基地局よって送信されるオンデマンドシグナリングの受信に成功しなかったとき、ＵＥは、以下のようないくつかの動作をさらに行ってもよい。（１）ランダムアクセス手順において、ＵＥは、基地局よって送信されるオンデマンドシグナリングの受信に成功しなかった。このとき、ＵＥは、まず基地局との接続に成功しているか否かを判断し、ＵＥのランダムアクセス手順が成功する場合、ＵＥは、基地局がオンデマンドシグナリングを送信するようにトリガするために、オンデマンドシグナリングトリガ信号を再送信する必要がなく、複数の方法によりこの前に必要とされるオンデマンドシグナリングを取得することができる。ランダムアクセス手順が失敗した場合、ＵＥは、この前のランダムアクセス要求及びオンデマンドシグナリングトリガの動作を一定の時間又は周期内に繰り返し実行することができる。（２）ＵＥは、ランダムアクセス要求に伴わず、オンデマンドシグナリングトリガ信号のみを送信し、基地局よって送信されるオンデマンドシグナリングの受信に成功しなかった。そうすると、ＵＥは、基地局よって送信されるオンデマンドシグナリングの受信に成功するようとするために、上記信号を一定の時間又は周期内に繰り返し送信し、例えば、Ｒｅｑｕｅｓｔ  ＩＤが含まれる情報を繰り返し送信するか又はＲｅｑｕｅｓｔ  ＩＤによってスクランブリングされるＳＲＳメッセージを送信する。所定の時間又は回数の後に、ＵＥが依然としてオンデマンド信号の受信に成功しなかった場合、ＵＥは、オンデマンドシグナリングトリガ信号の送信電力を増加して引き続き送信してみてもよいし、一旦送信を停止してもよい。
【００３１】
ステップＳ１０３において、ＵＥが前記基地局によって送信されるオンデマンドシグナリングに応じて、オンデマンド処理を行う。このステップにおいて、ＵＥが基地局よって送信されるオンデマンドシグナリングの受信に成功した後、異なるオンデマンドシグナリングのタイプに応じて、対応するオンデマンド動作及び処理を行うことができる。
【００３２】
図１及び図２〜９に示す本発明の実施例は、ＵＥによってオンデマンドシグナリングトリガ信号を送信することで、基地局がオンデマンドシグナリングの伝送を行うようにトリガする方法を例示している。本発明の他の一実施例において、通信システムの干渉低減に対するニーズが変化するとき、オンデマンドシグナリングを設定する必要があるか否かについて予め定義することができる。そのため、ＵＥがオンデマンドシグナリングトリガ信号を送信する前に、基地局がａｌｗａｙｓ−ｏｎのＭＩＢ及びＳＩＢでオン・オフ指示子の情報を利用してオンデマンドシグナリングの伝送のオン・オフ状態に対して行う指示を受信することができる。オン・オフ指示子は、１ビットを占有することができる。オン・オフ指示子が示す状態が「オン」であるとき、ＵＥは、上記オンデマンド処理方法によってオンデマンドシグナリングの伝送をトリガすることができる。オン・オフ指示子が示す状態が「オフ」であるとき、ＵＥは、オンデマンドシグナリングの伝送をトリガする必要がなく、基地局は、所定のデフォルトの１周期内に各オンデマンドシグナリング、例えばＳＩ_ｘ、ＳＩ_ｙ、ＭＲＳなどを送信する。
【００３３】
なお、本発明の他の一実施例において、オンデマンドシグナリング、例えばＳＩ_ｘ、ＳＩ_ｙ、ＭＲＳのうち１つ又は複数がすでに当該ＵＥ以外の他のＵＥによってトリガされたとき、基地局は、トリガされたオンデマンドシグナリングを所定の周期内で送信する。これにより、システムリソースを節約する観点から考えると、ＵＥがオンデマンドシグナリングトリガ信号を送信する前に、まず基地局からの例えばａｌｗａｙｓ−ｏｎのＭＩＢ及びＳＩＢに含まれる、ある一部のオンデマンドシグナリングがすでにトリガされ、かつ、所定の周期内で送信されるか否かを指示するための通知を受信することにより、ある一部のオンデマンドシグナリングをトリガする必要があるか否かを判断してもよい。ＵＥは、あるオンデマンドシグナリングがすでにトリガされ、所定の周期内に基地局よって送信されるという通知を受信するとき、ある特定の周期内に当該オンデマンドシグナリングに対応するオンデマンドシグナリングトリガ信号を再送信しない。
【００３４】
マルチビームのシナリオにおいて、ＵＥは、ａｌｗａｙｓ−ｏｎのＭＩＢ及びＳＩＢによりビームの情報を認識し、好ましいビームに在圏する。この場合、ＵＥがオンデマンドシグナリングの伝送をトリガするとき、基地局がすべてのビームで送信することではなく、当該好ましいビーム情報に応じてＵＥによって選択されるビームでオンデマンドシグナリングを送信するように、オンデマンドシグナリングトリガ信号（例えば、Ｍｓｇ.１の時間/周波数/コードリソースの暗黙的指示、又はＲｅｑｕｅｓｔ  ＩＤにおける明示的指示）に、選択した好ましいビームの情報が含まれるようにすることができ、これにより、システムリソースを節約し、シグナリングの伝送品質を最適化する。
【００３５】
このことからわかるように、本発明の実施例によって提供される通信システムにおいて実行されるオンデマンド処理を行う方法によれば、ユーザ装置が基地局をトリガすることにより、通信システムにおける一部のシグナリングがオンデマンドシグナリングの形式で伝送されるようにすることができ、これにより、システムのエネルギー消費を低減し、従来技術における常時接続シグナリングによるネットワークの干渉を減少する。
【００３６】
図１０は、本発明の実施例に係る基地局によって実行されるオンデマンド処理を行う方法を示している。当該方法により、基地局は、ＵＥよって送信されるオンデマンドシグナリングトリガ信号に応じて、オンデマンドシグナリングの伝送をトリガすることができる。
【００３７】
図１０に示すように、ステップＳ１００１において、基地局が、ＵＥよって送信されるオンデマンドシグナリングトリガ信号を受信する。前記オンデマンドシグナリングトリガ信号は、基地局が前記オンデマンドシグナリングを送信するようにトリガするためのものである。
【００３８】
本発明の実施例において、好ましくは、ＵＥは、アイドル状態又は非アクティブ状態のＵＥであってもよい。このステップにおいて、基地局が受信したＵＥよって送信されるオンデマンドシグナリングトリガ信号は、複数の形式により送信することができる。例えば、ＵＥは、上り制御チャネル（ランダムアクセスチャネルを含む）又は上り共有チャネルなどによりオンデマンドシグナリングトリガ信号を送信してもよく、また、ＵＥは、上り参照信号でオンデマンドシグナリングトリガ信号を送信してもよい。ＵＥがオンデマンドシグナリングトリガ信号を送信する方式は、明示的又は暗黙的であってもよい。ランダムアクセスチャネル（ＲＡＣＨ）を例として、ＵＥは、ランダムアクセスチャネルにおけるＭｓｇ.１によりオンデマンドシグナリングトリガ信号を明示的又は暗黙的に送信してもよい。
【００３９】
本発明の実施例において、上記図２〜図４に示すランダムアクセス手順のいずれについても、基地局は、ＵＥがその中のＭｓｇ.１により送信したオンデマンドシグナリングトリガ信号を受信することができる。本発明の一実施例において、ＵＥは、暗黙的な方法により基地局にオンデマンドシグナリングトリガ信号を送信してもよい。例えば、ＵＥは、予め決定されたランダムアクセスチャネルリソース（時間/周波数/プリアンブル）とオンデマンドシグナリングとの対応関係に応じて、オンデマンドシグナリングトリガ信号を暗黙的に送信してもよいし、オンデマンドシグナリングトリガ信号をスクランブリングする方法により前記オンデマンドシグナリングトリガ信号を送信してもよい。図５に示すように、ランダムアクセスチャネルリソース（時間/周波数/プリアンブル）とオンデマンドシグナリングとの対応関係は、予め決定されることができる。図５に示すランダムアクセスチャネルリソースとオンデマンドシグナリングとの対応関係のテーブルは、単なる例示的なものであり、実際の適用において、上記テーブルに係る各種のオンデマンド機能内容と他の機能との分割又は任意の組み合わせであってもよく、テーブルに示す内容に限定されるものではない。上記対応関係は、予め基地局側及びＵＥ側にそれぞれ記憶されてもよいし、実際の状況に応じて基地局によって例えばａｌｗａｙｓ−ｏｎのＭＩＢ及びＳＩＢで通知されてもよい。基地局は、ランダムアクセスチャネル時間/周波数リソース及びプリアンブルの組み合わせに対応するオンデマンドシグナリングを送信するか又は対応する他の機能を実現するために、ＵＥが上記対応関係によりトリガする必要のあるオンデマンドシグナリングに応じて決定して送信した対応する当該組み合わせを受信することができる。
【００４０】
本発明の他の一実施例において、ＵＥは、明示的な方法によりオンデマンドシグナリングトリガ信号を基地局に送信する。例えば、ＵＥは、上り制御チャネルにトリガする必要のあるオンデマンドシグナリングに対応する要求識別子（Ｒｅｑｕｅｓｔ  ＩＤ）の情報を追加する方法によりオンデマンドシグナリングトリガ信号を明示的に送信する。好ましくは、上り制御チャネルは、ランダムアクセスチャネルであってもよいし、ランダムアクセスチャネルと異なる他の上り制御チャネルであってもよい。同様に、要求識別子とオンデマンドシグナリングとの対応関係は、予め定義されてもよく、図５に示すものと同様に、要求識別子の異なるフィールドは、例えば、図５（ａ）におけるオンデマンドシグナリング（ＳＩ_ｘ、ＳＩ_ｙ、ＭＲＳ）のうち１つ又は複数の機能と、図５（ｂ）におけるＲＡ及びオンデマンドシグナリングのうち１つ又は２つの機能と、図５（ｃ）における異なる周期パラメータ（例えば、基地局がオンデマンドシグナリングを送信する周期）の設定などの各種の機能の分割又は組み合わせの形式との実現をサポートすることができ、ここでは詳しく説明しない。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。例えば、８種の機能の組み合わせを実現したいとき、Ｒｅｑｕｅｓｔ  ＩＤのビットは、３であってもよいが、１２種の機能の組み合わせを実現したいとき、Ｒｅｑｕｅｓｔ  ＩＤのビットが４であることが必要となる。具体的には、ＵＥがＳＩ_ｘ及びＭＲＳの送信を実現したいとき、Ｒｅｑｕｅｓｔ  ＩＤは、１１００であってもよい。ＵＥがＳＩ_ｘ、ＳＩ_ｙ及びＭＲＳの送信を実現したいとき、Ｒｅｑｕｅｓｔ  ＩＤは、１１１１であってもよい。これに準じて類推する。基地局は、ＵＥが上記対応関係によりトリガする必要のあるオンデマンドシグナリングに応じて例えばランダムアクセスチャネルの上り制御チャネルに追加して送信した対応するＲｅｑｕｅｓｔ  ＩＤを受信することができる。ここで、図３及び図４において、対応するランダムアクセス手順がランダムアクセスチャネルへの内容追加をサポートすることができるため、本発明の実施例は、図３及び図４におけるランダムアクセスシナリオへの適用をサポートすることができる。
【００４１】
好ましくは、上記本発明の実施例のランダムアクセスチャネルへの適用において、ＵＥは、Ｒｅｑｕｅｓｔ  ＩＤの予め定義された設定によりＲＡ及びオンデマンドシグナリングトリガの単一選択又は複数選択の機能を実現してもよいし、Ｒｅｑｕｅｓｔ  ＩＤを付加したうえで、ランダムアクセス指示子を追加する形式により、いったいＵＥよって送信されるＭｓｇ.１が単にオンデマンドシグナリングをトリガするように要求するか、それともランダムアクセスを同時に要求するかを指示する。例えば、ランダムアクセスチャネルにおいて、ＵＥは、１ビットのランダムアクセス指示子をさらに追加することができ、当該ランダムアクセス指示子が１であるとき、基地局は、単にＲｅｑｕｅｓｔ  ＩＤに応じて対応するオンデマンドシグナリングをトリガするだけ、ランダムアクセスレスポンスを行わず、ランダムアクセス指示子が０であるとき、基地局は、Ｒｅｑｕｅｓｔ  ＩＤに応じて対応するオンデマンドシグナリングをトリガするだけではなく、さらに、ＲＡＲを送信してランダムアクセスレスポンスを行う。このランダムアクセス指示子の設定及び適用は、同様に、図３及び図４におけるランダムアクセスシナリオに適用することができる。
【００４２】
なお、ＵＥが明示的な方法によりオンデマンドシグナリングトリガ信号を基地局に送信する他の一実施例において、図２に示す従来のＬＴＥの４ステップランダムアクセスのシナリオについて、最初の２ステップが完成した後、基地局は、第３ステップの上り共有チャネルでＵＥによって送信される対応するＲｅｑｕｅｓｔ  ＩＤが含まれる情報を受信してもよい。ここで、Ｒｅｑｕｅｓｔ  ＩＤとオンデマンドシグナリングとの対応関係も同様に、予め定義されてもよく、その具体的な定義方法は、上記と同様である。本実施例において、Ｒｅｑｕｅｓｔ  ＩＤのビット数は、厳格に限定されない。
【００４３】
また、本発明の他の一実施例において、ＵＥは、上記ＲＡ  ｐｒｅａｍｂｌｅの意味によって再定義されるチャネルを利用してオンデマンドシグナリングのトリガを実現することができる。具体的には、基地局は、ＵＥがランダムアクセスチャネルと異なる他の上り制御チャネルで送信したランダムアクセスプリアンブル及びトリガする必要のあるオンデマンドシグナリングに対応する要求識別子（Ｒｅｑｕｅｓｔ  ＩＤ）が含まれる情報を受信してもよい。当然のことながら、基地局は、ＵＥが時間領域、周波数領域及び/又はランダムアクセスプリアンブルの異なる対応関係を利用してオンデマンドシグナリングに対する暗黙的なトリガを受信してもよい。ここで、ランダムアクセスプリアンブルの意味は、上記と同様であり、要求識別子とオンデマンドシグナリングとの対応関係は、予め定義されてもよく、同様に、各種の予め定義されたオンデマンドシグナリングの機能の組み合わせは、例えばオンデマンドシグナリング（ＳＩ_ｘ、ＳＩ_ｙ、ＭＲＳなど）における１つ又は複数の機能の実現をサポートし、又は異なる周期パラメータの設定などの各種の分割又は組み合わせの形式をさらにサポートすることができる。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。ＵＥは、基地局が当該Ｒｅｑｕｅｓｔ  ＩＤに対応するオンデマンドシグナリングを送信するようにトリガするために、上記対応関係によりトリガする必要のあるオンデマンドシグナリングに応じて対応するＲｅｑｕｅｓｔ  ＩＤを決定することができる。本発明の実施例において、ＵＥによって送信されるメッセージには、ＵＥ  ＩＤの情報が含まれないため、本実施例は、ＵＥの基地局に対するオンデマンドシグナリングトリガ機能のみを実現し、ＵＥのランダムアクセスを行わない。それに応じて、要求識別子の対応する機能の組み合わせの選択肢には、ランダムアクセス機能が含まれず、基地局は、ＲＡＲをＵＥにフィードバックしない。
【００４４】
上記実施例のいずれもランダムアクセス手順又はランダムアクセスメッセージなどについての例である。また、非アクティブ状態のＵＥについては、上り参照信号、例えばＳＲＳを送信することができるため、基地局は、ＵＥが予め定義された要求識別子（Ｒｅｑｕｅｓｔ  ＩＤ）とオンデマンドシグナリングとの対応関係により、上り参照信号で送信したトリガする必要のあるオンデマンドシグナリングに対応する要求識別子の情報を受信してもよい。要求識別子とオンデマンドシグナリングとの対応関係は、同様に予め定義されてもよく、各種の予め定義されたオンデマンドシグナリングの機能の組み合わせは、同様に例えばオンデマンドシグナリング（ＳＩ_ｘ、ＳＩ_ｙ、ＭＲＳなど）における１つ又は複数の機能の実現をサポートし、又は異なる周期パラメータの設定などの各種の分割又は組み合わせの形式をさらにサポートすることができる。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。ＵＥは、基地局が当該組み合わせに対応するオンデマンドシグナリングを送信するようにトリガするため、上記対応関係によりトリガする必要のあるオンデマンドシグナリングに応じて、対応するＲｅｑｕｅｓｔ  ＩＤを決定し、上り参照信号にＲｅｑｕｅｓｔ  ＩＤ情報を持たせるようにすることができる。具体的には、ＵＥは、Ｒｅｑｕｅｓｔ  ＩＤでＳＲＳ系列をスクランブリングすることができる。当然のことながら、このような実施形態は、単なる例示的なものであり、ＵＥは、Ｒｅｑｕｅｓｔ  ＩＤの情報を持つ目的を実現するために、他の任意の方法を採用してもよい。
【００４５】
図１０に戻り、ステップＳ１００２において、基地局は、前記ユーザ装置が前記オンデマンドシグナリングに応じてオンデマンド処理を行うように、前記オンデマンドシグナリングトリガ信号に応じて前記オンデマンドシグナリングを送信する。
【００４６】
具体的には、ランダムアクセス手順において、ＵＥが上り制御チャネルでランダムアクセス要求とともに前記オンデマンドシグナリングトリガ信号を送信するとき、基地局は、ＲＡＲをフィードバックすると同時にオンデマンドシグナリングを送信することができ、それに応じて、ＵＥは、基地局よって送信されるＲＡＲ及びオンデマンドシグナリングを同時に受信し、処理を行う。また、例えば、ＵＥが上り制御チャネルでランダムアクセス要求とともに前記オンデマンドシグナリングトリガ信号を送信するにせよ、上り共有チャネルのＭｓｇ.３でオンデマンドシグナリングトリガ信号を同時に送信するにせよ、基地局は、いずれの場合にもＭｓｇ.４とともにオンデマンドシグナリングを同時に送信することができ、ＵＥは、基地局から返信されるＭｓｇ.４及びオンデマンドシグナリングを同時に受信し、処理を行うことができる。
【００４７】
上記図９に示すように、基地局は、ＵＥが前記オンデマンドシグナリングトリガ信号を送信した後、送信時間のＹ時間帯後のＸタイミングウィンドウ内で基地局よって送信されるオンデマンドシグナリングを受信することを期待するように、所定の時間帯内に前記オンデマンドシグナリングを送信することができ（図９（ａ））、ここで、基地局がオンデマンドシグナリングを送信する方法は、一次的なものであってもよいし、周期的（Ｚ）なものであってもよい。なお、ＵＥによる情報受信の複雑度を低減させるために、基地局は、ＵＥがいくつかの予め定義された狭いＸタイミングウィンドウ内に基地局よって送信されるオンデマンドシグナリングを受信することを期待するように、同様ないくつかの予め定義されたＸタイミングウィンドウ内でオンデマンドシグナリングを送信することができ（図９（ｂ））、これらＸタイミングウィンドウは、周期的（Ｚ）に配列されるものであってもよい。上記所定の時間帯、タイミングウィンドウ及び周期は、いずれも基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。
【００４８】
好ましくは、通信システムの干渉低減に対するニーズが変化するとき、基地局は、オンデマンドシグナリングを設定する必要があるか否かについて予め定義することができる。そのため、基地局は、ａｌｗａｙｓ−ｏｎのＭＩＢ及びＳＩＢでオン・オフ指示子の情報を利用してオンデマンドシグナリングの伝送のオン・オフ状態を指示することができる。オン・オフ指示子は、１ビットを占有してもよい。ＵＥがオンデマンドシグナリングトリガ信号を送信する前に、受信されるオン・オフ指示子が示す状態が「オン」であるとき、上記オンデマンド処理の方法によってオンデマンドシグナリングの伝送をトリガすることができる。オン・オフ指示子が示す状態が「オフ」であるとき、ＵＥは、オンデマンドシグナリングの伝送をトリガする必要がなく、基地局は、デフォルトの所定の１周期内に各オンデマンドシグナリング、例えばＳＩ_ｘ、ＳＩ_ｙ、ＭＲＳなどを送信する。
【００４９】
なお、本発明の他の一実施例において、オンデマンドシグナリング、例えばＳＩ_ｘ、ＳＩ_ｙ、ＭＲＳのうち１つ又は複数がすでに当該ＵＥ以外の他のＵＥによってトリガされたとき、基地局は、トリガされたオンデマンドシグナリングを所定の周期内に送信する。これにより、システムリソースを節約する観点から考えると、基地局は、例えばａｌｗａｙｓ−ｏｎのＭＩＢ及びＳＩＢに含まれる、ある一部のオンデマンドシグナリングがすでにトリガされ、かつ、所定の周期内に送信されるか否かを指示するための通知を行うことができる。ＵＥがオンデマンドシグナリングトリガ信号を送信する前に、まず基地局によって送信される通知を受信することにより、ある一部のオンデマンドシグナリングをトリガする必要があるか否かを判断してもよい。ＵＥは、あるオンデマンドシグナリングがすでにトリガされ、所定の周期内で基地局よって送信されることを知らせる通知を受信するとき、ある特定の周期内で当該オンデマンドシグナリングに対応するオンデマンドシグナリングトリガ信号を再送信しない。
【００５０】
マルチビームのシナリオにおいて、ＵＥは、ａｌｗａｙｓ−ｏｎのＭＩＢ及びＳＩＢによりビームの情報を認識し、好ましいビームに在圏する。この場合、ＵＥは、オンデマンド処理の方法を行うとき、オンデマンドシグナリングトリガ信号（例えば、Ｒｅｑｕｅｓｔ  ＩＤ）に、選択される好ましいビームの情報が含まれるようにすることができ、基地局は、すべてのビームで送信することではなく、当該好ましいビーム情報に応じてＵＥによって選択されるビームでオンデマンドシグナリングを送信することにより、システムリソースを節約し、シグナリングの伝送品質を最適化する。
【００５１】
このことからわかるように、本発明の実施例によって提供される通信システムにおいて実行されるオンデマンド処理を行う方法によれば、ユーザ装置が基地局をトリガすることにより、通信システムにおける一部のシグナリングがオンデマンドシグナリングの形式で伝送されるようにすることができ、これにより、システムのエネルギー消費を低減し、従来技術における常時接続シグナリングによるネットワークの干渉を減少する。
【００５２】
以下、図１１を参照して本発明の実施例に係るＵＥを説明する。当該ＵＥは、上記オンデマンド処理を行う方法を実行することができる。当該ＵＥの動作が前述したオンデマンド処理を行う方法の各ステップとほぼ同じであるため、ここでは、それについて簡略に説明し、同じ内容の重複な説明を省略する。
【００５３】
図１１に示すように、ＵＥ １１００は、送信部１１１０と、受信部１１２０と、処理部１１３０と、を含む。なお、図１１は、本発明の実施例に関連する要素のみを示しており、他の要素を省略したが、これは、単なる概略的なものであり、必要に応じて、ＵＥ
１１００は、他の要素を含んでもよい。
【００５４】
送信部１１１０は、基地局がオンデマンドシグナリングを送信するようにトリガするためのオンデマンドシグナリングトリガ信号を基地局に送信する。
【００５５】
本発明の実施例において、好ましくは、ＵＥは、アイドル状態又は非アクティブ状態のＵＥであってもよい。送信部１１１０から基地局に送信されるオンデマンドシグナリングトリガ信号は、複数の形式により送信することができる。例えば、送信部１１１０は、上り制御チャネル（ランダムアクセスチャネルを含む）又は上り共有チャネルなどによりオンデマンドシグナリングトリガ信号を送信してもよく、また、送信部１１１０は、上り参照信号でオンデマンドシグナリングトリガ信号を送信してもよい。送信部１１１０がオンデマンドシグナリングトリガ信号を送信する方式は、明示的又は暗黙的であってもよい。ランダムアクセスチャネル（ＲＡＣＨ）を例として、送信部１１１０は、ランダムアクセスチャネルにおけるＭｓｇ.１によりオンデマンドシグナリングトリガ信号を明示的又は暗黙的に送信してもよい。
【００５６】
本発明の実施例において、上記図２〜図４に示すランダムアクセス手順のいずれについても、送信部１１１０は、基地局が対応するオンデマンドシグナリングを送信するようにトリガするために、その中のＭｓｇ.１によりオンデマンドシグナリングトリガ信号を送信することができる。本発明の一実施例において、送信部１１１０は、暗黙的な方法により基地局にオンデマンドシグナリングトリガ信号を送信してもよい。例えば、送信部１１１０は、予め決定されたランダムアクセスチャネルリソース（時間/周波数/プリアンブル）とオンデマンドシグナリングとの対応関係に応じて、オンデマンドシグナリングトリガ信号を暗黙的に送信してもよいし、オンデマンドシグナリングトリガ信号をスクランブリングする方法により前記オンデマンドシグナリングトリガ信号を送信してもよい。図５は、予め決定されたランダムアクセスチャネルリソース（時間/周波数/プリアンブル）とオンデマンドシグナリングとの対応関係により前記オンデマンドシグナリングトリガ信号を暗黙的に送信することを例として、本発明の実施例におけるランダムアクセスチャネルリソースとオンデマンドシグナリングとの対応関係の模式図を示している。図５（ａ）におけるＲＡ  ｐｒｅａｍｂｌｅの異なる時間/周波数リソース及びプリアンブル自体の組み合わせは、それぞれオンデマンドシグナリング（ＳＩ_ｘ、ＳＩ_ｙ、ＭＲＳなど、ただし、ＳＩ_ｘ、ＳＩ_ｙが異なるシステムメッセージを表す）のうち１つ又は複数を同時にサポートすることができ、図５（ｂ）におけるＲＡ  ｐｒｅａｍｂｌｅの異なる時間/周波数リソース及びプリアンブル自体の組み合わせは、それぞれＲＡ及びオンデマンドシグナリングのうち１つ又は２つの機能を同時にサポートすることができ、図５（ｃ）におけるＲＡ  ｐｒｅａｍｂｌｅの異なる時間/周波数リソース及びプリアンブル自体の組み合わせは、異なる周期パラメータ（例えば、基地局がオンデマンドシグナリングを送信する周期）の設定などもサポートすることができる。図５に示すランダムアクセスチャネルリソースとオンデマンドシグナリングとの対応関係のテーブルは、単なる例示的なものであり、実際の適用において、上記テーブルにおける各種のオンデマンド機能内容と他の機能との分割又は任意の組み合わせであってもよく、テーブルに示す内容に限定されるものではない。上記対応関係は、予め基地局側及びＵＥ側にそれぞれ記憶されてもよいし、実際の状況に応じて基地局によって例えばａｌｗａｙｓ−ｏｎのＭＩＢ及びＳＩＢで通知されてもよい。送信部１１１０は、基地局がランダムアクセスチャネルの時間/周波数リソース及びプリアンブルの組み合わせに対応するオンデマンドシグナリングを送信するか又は対応する他の機能を実現するようにトリガするために、上記対応関係によりトリガする必要のあるオンデマンドシグナリングに応じて対応する当該組み合わせを決定し、組み合わせにおける所定の時間/周波数リソースで対応するＲＡ  ｐｒｅａｍｂｌｅを送信することができる。
【００５７】
本発明の他の一実施例において、送信部１１１０は、明示的な方法によりオンデマンドシグナリングトリガ信号を基地局に送信する。例えば、送信部１１１０は、上り制御チャネルにトリガする必要のあるオンデマンドシグナリングに対応する要求識別子（Ｒｅｑｕｅｓｔ  ＩＤ）の情報を追加する方法により、オンデマンドシグナリングトリガ信号を明示的に送信する。好ましくは、上り制御チャネルは、ランダムアクセスチャネルであってもよいし、ランダムアクセスチャネルと異なる他の上り制御チャネルであってもよい。同様に、要求識別子とオンデマンドシグナリングとの対応関係は、予め定義されてもよく、図５に示すものと同様に、要求識別子の異なるフィールドは、例えば、図５（ａ）におけるオンデマンドシグナリング（ＳＩ_ｘ、ＳＩ_ｙ、ＭＲＳ）のうち１つ又は複数の機能、図５（ｂ）におけるＲＡ及びオンデマンドシグナリングのうち１つ又は２つの機能、図５（ｃ）における異なる周期パラメータ（例えば、基地局がオンデマンドシグナリングを送信する周期）の設定などの各種の機能の分割又は組み合わせの形式の実現をサポートすることができ、ここでは詳しく説明しない。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。例えば、８種の機能の組み合わせを実現したいとき、Ｒｅｑｕｅｓｔ  ＩＤのビットは、３であってもよいが、１２種の機能の組み合わせを実現したいとき、Ｒｅｑｕｅｓｔ  ＩＤのビットが４であることが必要となる。具体的には、ＳＩ_ｘ及びＭＲＳの送信を実現したいとき、Ｒｅｑｕｅｓｔ  ＩＤは、１１００であってもよい。ＳＩ_ｘ、ＳＩ_ｙ及びＭＲＳの送信を実現したいとき、Ｒｅｑｕｅｓｔ  ＩＤは、１１１１であってもよい。送信部１１１０は、基地局がこのＲｅｑｕｅｓｔ  ＩＤに対応するオンデマンドシグナリングを送信するか又は対応する他の機能を実現するようにトリガするために、上記対応関係によりトリガする必要のあるオンデマンドシグナリングに応じて、例えばランダムアクセスチャネルの上り制御チャネルに、対応するＲｅｑｕｅｓｔ  ＩＤを追加することができる。ここで、図３及び図４において、対応するランダムアクセス手順では、ランダムアクセスチャネルへの内容追加をサポートすることができるため、本発明の実施例では、図３及び図４におけるランダムアクセスシナリオへの適用をサポートすることができる。
【００５８】
好ましくは、上記本発明の実施例のランダムアクセスチャネルへの適用において、送信部１１１０は、Ｒｅｑｕｅｓｔ  ＩＤの予め定義された設定によりＲＡ及びオンデマンドシグナリングトリガの単一選択又は複数選択の機能を実現してもよいし、Ｒｅｑｕｅｓｔ  ＩＤを付加したうえで、ランダムアクセス指示子を追加する形式により、いったいＵＥよって送信されるＭｓｇ.１が単にオンデマンドシグナリングをトリガするように要求するか、それともランダムアクセスを同時に要求するかを指示する。例えば、ランダムアクセスチャネルにおいて、１ビットのランダムアクセス指示子をさらに追加することができ、当該ランダムアクセス指示子が１であるとき、単にＲｅｑｕｅｓｔ  ＩＤに応じて対応するオンデマンドシグナリングをトリガするだけ、ランダムアクセスを要求しないことを示すことができ、ランダムアクセス指示子が０であるとき、Ｒｅｑｕｅｓｔ  ＩＤに応じて対応するオンデマンドシグナリングをトリガするだけではなく、さらにＵＥのランダムアクセスを要求することを示すことができる。このランダムアクセス指示子の設定及び適用は、同様に、図３及び図４におけるランダムアクセスシナリオに適用することもできる。
【００５９】
なお、送信部１１１０が明示的な方法によりオンデマンドシグナリングトリガ信号を基地局に送信する他の一実施例において、図２に示す従来のＬＴＥの４ステップランダムアクセスのシナリオについて、送信部１１１０は、基地局に対して対応するオンデマンドシグナリングをトリガすることを実現するために、最初の２ステップが完成した後、第３ステップの上り共有チャネルに、対応するＲｅｑｕｅｓｔ  ＩＤ情報が含まれるようにすることができる。ここで、Ｒｅｑｕｅｓｔ  ＩＤとオンデマンドシグナリングとの対応関係も同様に、予め定義されてもよく、その具体的な定義方法は、上記と同様である。本実施例において、Ｒｅｑｕｅｓｔ  ＩＤのビット数は、厳格に限定されない。
【００６０】
また、本発明の他の一実施例において、上記ＲＡ  ｐｒｅａｍｂｌｅの意味によって再定義されるチャネルを利用してオンデマンドシグナリングのトリガを実現してもよい。具体的には、送信部１１１０は、基地局がオンデマンドシグナリングを送信するようにトリガするために、ランダムアクセスチャネルと異なる他の上り制御チャネルを利用して、ランダムアクセスプリアンブル及びトリガする必要のあるオンデマンドシグナリングに対応する要求識別子（Ｒｅｑｕｅｓｔ  ＩＤ）が含まれる情報を送信することができる。当然のことながら、送信部１１１０は、時間領域、周波数領域及び/又はランダムアクセスプリアンブルの異なる対応関係を利用するか又はＲｅｑｕｅｓｔ  ＩＤのスクランブリングにより、オンデマンドシグナリングに対する暗黙的なトリガを行ってもよい。ここで、ランダムアクセスプリアンブルの意味は、上記と同様であり、要求識別子とオンデマンドシグナリングとの対応関係は、予め定義されてもよく、同様に、各種の予め定義されたオンデマンドシグナリングの機能の組み合わせは、例えばオンデマンドシグナリング（ＳＩ_ｘ、ＳＩ_ｙ、ＭＲＳなど）における１つ又は複数の機能の実現をサポートし、又は異なる周期パラメータの設定などの各種の分割又は組み合わせの形式をさらにサポートすることができる。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。送信部１１１０は、基地局が当該Ｒｅｑｕｅｓｔ  ＩＤに対応するオンデマンドシグナリングを送信するようにトリガするために、上記対応関係によりトリガする必要のあるオンデマンドシグナリングに応じて対応するＲｅｑｕｅｓｔ  ＩＤを決定することができる。本発明の実施例において、送信部１１１０によって送信されるメッセージには、ＵＥ  ＩＤの情報が含まれないため、本実施例は、ＵＥの送信部１１１０の基地局に対するオンデマンドシグナリングトリガ機能のみを実現し、ランダムアクセスを要求しない。それに応じて、要求識別子の対応する機能の組み合わせの選択肢には、ランダムアクセス機能が含まれず、基地局は、ＲＡＲをＵＥにフィードバックしない。
【００６１】
上記実施例のいずれもランダムアクセス手順又はランダムアクセスメッセージについての例である。また、非アクティブ状態のＵＥについては、上り参照信号、例えばＳＲＳを送信することができるため、送信部１１１０は、予め定義された要求識別子（Ｒｅｑｕｅｓｔ  ＩＤ）とオンデマンドシグナリングとの対応関係により、上り参照信号でトリガする必要のあるオンデマンドシグナリングに対応する要求識別子の情報を送信してもよい。要求識別子とオンデマンドシグナリングとの対応関係は、同様に予め定義されてもよく、各種の予め定義されたオンデマンドシグナリングの機能の組み合わせは、同様に例えばオンデマンドシグナリング（ＳＩ_ｘ、ＳＩ_ｙ、ＭＲＳなど）における１つ又は複数の機能の実現をサポートし、又は異なる周期パラメータの設定などの各種の分割又は組み合わせの形式をさらにサポートすることができる。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。送信部１１１０は、基地局が当該組み合わせに対応するオンデマンドシグナリングを送信するようにトリガするため、上記対応関係によりトリガする必要のあるオンデマンドシグナリングに応じて、対応するＲｅｑｕｅｓｔ  ＩＤを決定し、上り参照信号にＲｅｑｕｅｓｔ  ＩＤ情報を持たせるようにすることができる。具体的には、送信部１１１０は、Ｒｅｑｕｅｓｔ  ＩＤでＳＲＳ系列をスクランブリングすることができる。当然のことながら、このような実施形態は、単なる例示的なものであり、ＵＥは、Ｒｅｑｕｅｓｔ  ＩＤの情報を持つ目的を実現するために、他の任意の方法を採用してもよい。
【００６２】
受信部１１２０は、前記基地局によって送信される前記オンデマンドシグナリングを受信する。
【００６３】
具体的には、ランダムアクセス手順において、ＵＥの送信部１１１０が上り制御チャネルでランダムアクセス要求とともに前記オンデマンドシグナリングトリガ信号を送信するとき、基地局は、ＲＡＲをフィードバックすると同時にオンデマンドシグナリングを送信することができ、それに応じて、ＵＥの受信部１１２０は、基地局よって送信されるＲＡＲ及びオンデマンドシグナリングを同時に受信し、処理を行う。また、例えば、ＵＥの送信部１１１０が上り制御チャネルでランダムアクセス要求とともに前記オンデマンドシグナリングトリガ信号を送信するにせよ、上り共有チャネルのＭｓｇ.３でオンデマンドシグナリングトリガ信号を同時に送信するにせよ、基地局は、いずれの場合にもＭｓｇ.４とともにオンデマンドシグナリングを同時に送信することができ、ＵＥの受信部１１２０は、基地局から返信されるＭｓｇ.４及びオンデマンドシグナリングを同時に受信し、処理を行うことができる。
【００６４】
受信部１１２０は、前記オンデマンドシグナリングトリガ信号を送信した後、送信時間のＹ時間帯後のＸタイミングウィンドウ内で基地局よって送信されるオンデマンドシグナリングを受信することを期待でき、基地局がオンデマンドシグナリングを送信する方法は、一次的なものであってもよいし、周期的（Ｚ）なものであってもよい。なお、ＵＥによる情報受信の複雑度を低減させるために、受信部１１２０は、いくつかの予め定義された狭いＸタイミングウィンドウ内で基地局よって送信されるオンデマンドシグナリングを受信することを期待でき、これらＸタイミングウィンドウは、周期的（Ｚ）に配列されるものであってもよい。上記所定の時間帯、タイミングウィンドウ及び周期は、いずれも基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。
【００６５】
好ましくは、上記に限定されるタイミングウィンドウ内で、ＵＥが基地局よって送信されるオンデマンドシグナリングの受信に成功しなかったとき、図１１に示すＵＥは、以下のように構成されてもよい。（１）ランダムアクセス手順において、ＵＥは、基地局よって送信されるオンデマンドシグナリングの受信に成功しなかった。このとき、ＵＥは、まず基地局との接続に成功しているか否かを判断し、ＵＥのランダムアクセス手順が成功する場合、ＵＥは、基地局がオンデマンドシグナリングを送信するようにトリガするために、オンデマンドシグナリングトリガ信号を再送信する必要がなく、複数の方法によりこの前に必要とされるオンデマンドシグナリングを取得することができる。ランダムアクセス手順も失敗した場合、ＵＥは、この前のランダムアクセス要求及びオンデマンドシグナリングトリガの動作を一定の時間又は周期内で繰り返し実行することができる。（２）ＵＥは、ランダムアクセス要求に伴わず、オンデマンドシグナリングトリガ信号のみを送信し、基地局よって送信されるオンデマンドシグナリングの受信に成功しなかった。そうすると、ＵＥは、基地局よって送信されるオンデマンドシグナリングの受信に成功するようとするために、上記信号を一定の時間又は周期内に繰り返し送信し、例えば、Ｒｅｑｕｅｓｔ  ＩＤが含まれる情報を繰り返し送信するか又はＲｅｑｕｅｓｔ  ＩＤによってスクランブリングされるＳＲＳメッセージを送信する。所定の時間又は回数の後に、ＵＥが依然としてオンデマンド信号の受信に成功しなかった場合、ＵＥは、オンデマンドシグナリングトリガ信号の送信電力を増加して引き続き送信してみてもよいし、一旦送信を停止してもよい。
【００６６】
処理部１１３０は、前記基地局によって送信されるオンデマンドシグナリングに応じて、オンデマンド処理を行う。ＵＥが基地局よって送信されるオンデマンドシグナリングの受信に成功した後、異なるオンデマンドシグナリングのタイプに応じて、対応するオンデマンド動作及び処理を行うことができる。
【００６７】
ここで、本発明の他の一実施例において、通信システムの干渉低減に対するニーズが変化するとき、オンデマンドシグナリングを設定する必要があるか否かについて予め定義することができる。そのため、ＵＥは、送信部１１１０がオンデマンドシグナリングトリガ信号を送信する前に、基地局がａｌｗａｙｓ−ｏｎのＭＩＢ及びＳＩＢでオン・オフ指示子の情報を利用してオンデマンドシグナリングの伝送のオン・オフ状態に対して行う指示を受信して判断するように構成される判断部（図示せず）をさらに含んでもよい。オン・オフ指示子は、１ビットを占有することができる。判断部は、オン・オフ指示子が示す状態が「オン」であるとき、送信部１１１０がオンデマンドシグナリングを送信することができると判断してもよく、オン・オフ指示子が示す状態が「オフ」であるとき、送信部１１１０がオンデマンドシグナリングを送信する必要がないと判断してもよく、基地局は、デフォルトの所定の１周期内で各オンデマンドシグナリング、例えばＳＩ_ｘ、ＳＩ_ｙ、ＭＲＳなどを送信する。
【００６８】
なお、本発明の他の一実施例において、オンデマンドシグナリング、例えばＳＩ_ｘ、ＳＩ_ｙ、ＭＲＳのうち１つ又は複数がすでに当該ＵＥ以外の他のＵＥによってトリガされたとき、基地局は、トリガされたオンデマンドシグナリングを所定の周期内で送信する。これにより、システムリソースを節約する観点から考えると、ＵＥがオンデマンドシグナリングトリガ信号を送信する前に、判断部は、まず基地局からの例えばａｌｗａｙｓ−ｏｎのＭＩＢ及びＳＩＢに含まれる、ある一部のオンデマンドシグナリングがすでにトリガされ、かつ、所定の周期内で送信されるか否かを指示するための通知を受信することにより、ある一部のオンデマンドシグナリングをトリガする必要があるか否かを判断してもよい。ＵＥは、あるオンデマンドシグナリングがすでにトリガされ、所定の周期内で基地局よって送信されることを知らせる通知を受信するとき、送信部１１１０がある特定の周期内に当該オンデマンドシグナリングに対応するオンデマンドシグナリングトリガ信号を再送信する必要がないと判断部が判断してもよい。
【００６９】
マルチビームのシナリオにおいて、ＵＥは、ａｌｗａｙｓ−ｏｎのＭＩＢ及びＳＩＢによりビームの情報を認識し、好ましいビームに在圏する。この場合、送信部１１１０がオンデマンドシグナリングの伝送をトリガするとき、基地局がすべてのビームで送信することではなく、当該好ましいビーム情報に応じてＵＥによって選択されるビームでオンデマンドシグナリングを送信するように、オンデマンドシグナリングトリガ信号（例えば、Ｒｅｑｕｅｓｔ  ＩＤ）に、選択した好ましいビームの情報が含まれるようにすることができ、これにより、システムリソースを節約し、シグナリングの伝送品質を最適化する。
【００７０】
このことからわかるように、本発明の実施例によって提供される通信システムにおけるＵＥによれば、ユーザ装置が基地局をトリガすることにより、通信システムにおける一部のシグナリングがオンデマンドシグナリングの形式で伝送されるようにすることができ、これにより、システムのエネルギー消費を低減し、従来技術における常時接続シグナリングによるネットワークの干渉を減少する。
【００７１】
以下、図１２を参照して本発明の実施例に係る基地局を説明する。当該基地局は、上記オンデマンド処理を行う方法を実行することができる。当該基地局の動作が前述したオンデマンド処理を行う方法の各ステップとほぼ同じであるため、ここでは、それについて簡略に説明し、同じ内容の重複な説明を省略する。
【００７２】
図１２に示すように、基地局１２００は、受信部１２１０と、送信部１２２０と、を含む。なお、図１２は、本発明の実施例に関連する要素のみを示しており、他の要素を省略したが、これは、単なる概略的なものであり、必要に応じて、基地局１２００は、他の要素を含んでもよい。
【００７３】
受信部１２１０は、ユーザ装置によって送信されるオンデマンドシグナリングトリガ信号を受信する。前記オンデマンドシグナリングトリガ信号は、基地局が前記オンデマンドシグナリングを送信するようにトリガするためのものである。
【００７４】
本発明の実施例において、好ましくは、ＵＥは、アイドル状態又は非アクティブ状態のＵＥであってもよい。受信部１２１０が受信したＵＥよって送信されるオンデマンドシグナリングトリガ信号は、複数の形式により送信することができる。例えば、ＵＥは、上り制御チャネル（ランダムアクセスチャネルを含む）又は上り共有チャネルなどによりオンデマンドシグナリングトリガ信号を送信してもよく、また、ＵＥは、上り参照信号でオンデマンドシグナリングトリガ信号を送信してもよい。ＵＥがオンデマンドシグナリングトリガ信号を送信する方式は、明示的又は暗黙的であってもよい。ランダムアクセスチャネル（ＲＡＣＨ）を例として、ＵＥは、ランダムアクセスチャネルにおけるＭｓｇ.１によりオンデマンドシグナリングトリガ信号を明示的又は暗黙的に送信してもよい。
【００７５】
本発明の実施例において、上記図２〜図４に示すランダムアクセス手順のいずれについても、受信部１２１０は、ＵＥがその中のＭｓｇ.１により送信したオンデマンドシグナリングトリガ信号を受信することができる。本発明の一実施例において、ＵＥは、暗黙的な方法により基地局にオンデマンドシグナリングトリガ信号を送信してもよい。例えば、ＵＥは、予め決定されたランダムアクセスチャネルリソース（時間/周波数/プリアンブル）とオンデマンドシグナリングとの対応関係に応じて、オンデマンドシグナリングトリガ信号を暗黙的に送信してもよいし、オンデマンドシグナリングトリガ信号をスクランブリングする方法により前記オンデマンドシグナリングトリガ信号を送信してもよい。図５に示すように、ランダムアクセスチャネルリソース（時間/周波数/プリアンブル）とオンデマンドシグナリングとの対応関係は、予め決定することができる。図５に示すランダムアクセスチャネルリソースとオンデマンドシグナリングとの対応関係のテーブルは、単なる例示的なものであり、実際の適用において、上記テーブルに係る各種のオンデマンド機能内容と他の機能との分割又は任意の組み合わせであってもよく、テーブルに示す内容に限定されるものではない。上記対応関係は、予め基地局側及びＵＥ側にそれぞれ記憶されてもよいし、実際の状況に応じて基地局によって例えばａｌｗａｙｓ−ｏｎのＭＩＢ及びＳＩＢで通知されてもよい。基地局は、ランダムアクセスチャネル時間/周波数リソース及びプリアンブルの組み合わせに対応するオンデマンドシグナリングを送信するか又は対応する他の機能を実現するために、ＵＥが上記対応関係によりトリガする必要のあるオンデマンドシグナリングに応じて決定し送信した対応する当該組み合わせを受信することができる。
【００７６】
本発明の他の一実施例において、ＵＥは、明示的な方法によりオンデマンドシグナリングトリガ信号を基地局に送信する。例えば、ＵＥは、上り制御チャネルにトリガする必要のあるオンデマンドシグナリングに対応する要求識別子（Ｒｅｑｕｅｓｔ  ＩＤ）の情報を追加する方法により、オンデマンドシグナリングトリガ信号を明示的に送信する。好ましくは、上り制御チャネルは、ランダムアクセスチャネルであってもよいし、ランダムアクセスチャネルと異なる他の上り制御チャネルであってもよい。同様に、要求識別子とオンデマンドシグナリングとの対応関係は、予め定義されてもよく、図５に示すものと同様に、要求識別子の異なるフィールドは、例えば、図５（ａ）におけるオンデマンドシグナリング（ＳＩ_ｘ、ＳＩ_ｙ、ＭＲＳ）のうち１つ又は複数の機能、図５（ｂ）におけるＲＡ及びオンデマンドシグナリングのうち１つ又は２つの機能、図５（ｃ）における異なる周期パラメータ（例えば、基地局がオンデマンドシグナリングを送信する周期）の設定などの各種の機能の分割又は組み合わせの形式の実現をサポートすることができ、ここでは詳しく説明しない。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。例えば、８種の機能の組み合わせを実現したいとき、Ｒｅｑｕｅｓｔ  ＩＤのビットは、３であってもよいが、１２種の機能の組み合わせを実現したいとき、Ｒｅｑｕｅｓｔ  ＩＤのビットが４であることが必要となる。具体的には、ＵＥがＳＩ_ｘ及びＭＲＳの送信を実現したいとき、Ｒｅｑｕｅｓｔ  ＩＤは、１１００であってもよい。ＵＥがＳＩ_ｘ、ＳＩ_ｙ及びＭＲＳの送信を実現したいとき、Ｒｅｑｕｅｓｔ  ＩＤは、１１１１であってもよい。その他はこれに準じて類推する。受信部１２１０は、ＵＥが上記対応関係によりトリガする必要のあるオンデマンドシグナリングに応じて例えばランダムアクセスチャネルの上り制御チャネルに追加して送信した対応するＲｅｑｕｅｓｔ  ＩＤを受信することができる。ここで、図３及び図４において、対応するランダムアクセス手順では、ランダムアクセスチャネルへの内容追加をサポートすることができるため、本発明の実施例では、図３及び図４におけるランダムアクセスシナリオへの適用をサポートすることができる。
【００７７】
好ましくは、上記本発明の実施例のランダムアクセスチャネルへの適用において、ＵＥは、Ｒｅｑｕｅｓｔ  ＩＤの予め定義された設定によりＲＡ及びオンデマンドシグナリングトリガの単一選択又は複数選択の機能を実現してもよいし、Ｒｅｑｕｅｓｔ  ＩＤを付加したうえで、ランダムアクセス指示子を追加する形式により、いったいＵＥよって送信されるＭｓｇ.１が単にオンデマンドシグナリングをトリガするように要求するか、それともランダムアクセスを同時に要求するかを指示する。例えば、ＵＥでは、ランダムアクセスチャネルにおいて、１ビットのランダムアクセス指示子をさらに追加することができ、当該ランダムアクセス指示子が１であるとき、基地局では、単にＲｅｑｕｅｓｔ  ＩＤに応じて対応するオンデマンドシグナリングをトリガするだけ、ランダムアクセスレスポンスを行わず、ランダムアクセス指示子が０であるとき、Ｒｅｑｕｅｓｔ  ＩＤに応じて対応するオンデマンドシグナリングをトリガするだけではなく、さらに、ＲＡＲを送信してランダムアクセスレスポンスを行う。このランダムアクセス指示子の設定及び適用は、同様に、図３及び図４におけるランダムアクセスシナリオに適用することもできる。
【００７８】
なお、ＵＥが明示的な方法によりオンデマンドシグナリングトリガ信号を基地局に送信する他の一実施例において、図２に示す従来のＬＴＥの４ステップランダムアクセスのシナリオについて、最初の２ステップが完成した後、受信部１２１０は、第３ステップにおいて上り共有チャネルでＵＥによって送信される対応するＲｅｑｕｅｓｔ  ＩＤが含まれる情報を受信してもよい。ここで、Ｒｅｑｕｅｓｔ  ＩＤとオンデマンドシグナリングとの対応関係も同様に、予め定義されてもよく、その具体的な定義方法は、上記と同様である。本実施例において、Ｒｅｑｕｅｓｔ  ＩＤのビット数は、厳格に限定されない。
【００７９】
また、本発明の他の一実施例において、ＵＥは、上記ＲＡ  ｐｒｅａｍｂｌｅの意味によって再定義されるチャネルを利用してオンデマンドシグナリングのトリガを実現してもよい。具体的には、受信部１２１０は、ＵＥがランダムアクセスチャネルと異なる他の上り制御チャネルで送信した、ランダムアクセスプリアンブル及びトリガする必要のあるオンデマンドシグナリングに対応する要求識別子（Ｒｅｑｕｅｓｔ  ＩＤ）が含まれる情報を受信することができる。当然のことながら、受信部１２１０は、ＵＥが時間領域、周波数領域及び/又はランダムアクセスプリアンブルの異なる対応関係を利用してオンデマンドシグナリングに対して行う暗黙的なトリガを受信することもできる。ここで、ランダムアクセスプリアンブルの意味は、上記と同様であり、要求識別子とオンデマンドシグナリングとの対応関係は、予め定義されてもよく、同様に、各種の予め定義されたオンデマンドシグナリングの機能の組み合わせは、例えばオンデマンドシグナリング（ＳＩ_ｘ、ＳＩ_ｙ、ＭＲＳなど）における１つ又は複数の機能の実現をサポートし、又は異なる周期パラメータの設定などの各種の分割又は組み合わせの形式をさらにサポートすることができる。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。ＵＥは、基地局が当該Ｒｅｑｕｅｓｔ  ＩＤに対応するオンデマンドシグナリングを送信するようにトリガするために、上記対応関係によりトリガする必要のあるオンデマンドシグナリングに応じて対応するＲｅｑｕｅｓｔ  ＩＤを決定することができる。本発明の実施例において、ＵＥによって送信されるメッセージには、ＵＥ  ＩＤの情報が含まれないため、本実施例は、ＵＥの基地局に対するオンデマンドシグナリングトリガ機能のみを実現し、ＵＥのランダムアクセスを行わない。それに応じて、要求識別子の対応する機能の組み合わせの選択肢には、ランダムアクセス機能が含まれず、基地局は、ＲＡＲをＵＥにフィードバックしない。
【００８０】
上記実施例のいずれもランダムアクセス手順又はランダムアクセスメッセージについての例である。また、非アクティブ状態のＵＥについては、上り参照信号、例えばＳＲＳを送信することができるため、受信部１２１０は、ＵＥが予め定義された要求識別子（Ｒｅｑｕｅｓｔ  ＩＤ）とオンデマンドシグナリングとの対応関係により、上り参照信号で送信したトリガする必要のあるオンデマンドシグナリングに対応する要求識別子の情報を受信してもよい。要求識別子とオンデマンドシグナリングとの対応関係は、同様に予め定義されてもよく、各種の予め定義されたオンデマンドシグナリングの機能の組み合わせは、同様に例えばオンデマンドシグナリング（ＳＩ_ｘ、ＳＩ_ｙ、ＭＲＳなど）における１つ又は複数の機能の実現をサポートし、又は異なる周期パラメータの設定などの各種の分割又は組み合わせの形式をさらにサポートすることができる。上記対応関係は、基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。要求識別子は、数ビットで示されてもよく、ビットの数は、実現したい機能の組み合わせの数によって決められる。ＵＥは、基地局が当該組み合わせに対応するオンデマンドシグナリングを送信するようにトリガするため、上記対応関係によりトリガする必要のあるオンデマンドシグナリングに応じて、対応するＲｅｑｕｅｓｔ  ＩＤを決定し、上り参照信号にＲｅｑｕｅｓｔ  ＩＤ情報を持たせるようにすることができる。具体的には、ＵＥは、Ｒｅｑｕｅｓｔ  ＩＤでＳＲＳ系列をスクランブリングすることができる。当然のことながら、このような実施形態は、単なる例示的なものであり、ＵＥは、Ｒｅｑｕｅｓｔ  ＩＤの情報を持つ目的を実現するために、他の任意の方法を採用してもよい。
【００８１】
送信部１２２０は、前記ユーザ装置が前記オンデマンドシグナリングに応じてオンデマンド処理を行うように、前記オンデマンドシグナリングトリガ信号に応じて前記オンデマンドシグナリングを送信する。
【００８２】
具体的には、ランダムアクセス手順において、ＵＥが上り制御チャネルでランダムアクセス要求とともに前記オンデマンドシグナリングトリガ信号を送信するとき、基地局の送信部１２２０は、ＲＡＲをフィードバックすると同時にオンデマンドシグナリングを送信することができ、それに応じて、ＵＥは、基地局よって送信されるＲＡＲ及びオンデマンドシグナリングを同時に受信し、処理を行う。また、例えば、ＵＥが上り制御チャネルでランダムアクセス要求とともに前記オンデマンドシグナリングトリガ信号を送信するにせよ、上り共有チャネルのＭｓｇ.３でオンデマンドシグナリングトリガ信号を同時に送信するにせよ、基地局の送信部１２２０は、いずれの場合にもＭｓｇ.４とともにオンデマンドシグナリングを同時に送信することができ、ＵＥは、基地局から返信されるＭｓｇ.４及びオンデマンドシグナリングを同時に受信し、処理を行うことができる。
【００８３】
上記図９に示すように、送信部１２２０は、ＵＥが前記オンデマンドシグナリングトリガ信号を送信した後、送信時間のＹ時間帯後のＸタイミングウィンドウ内で基地局よって送信されるオンデマンドシグナリングを受信することを期待するように、所定の時間帯内に前記オンデマンドシグナリングを送信することができ（図９（ａ））、ここで、送信部１２２０がオンデマンドシグナリングを送信する方法は、一次的なものであってもよいし、周期的（Ｚ）なものであってもよい。なお、ＵＥによる情報受信の複雑度を低減させるために、送信部１２２０は、ＵＥがいくつかの予め定義された狭いＸタイミングウィンドウ内で基地局よって送信されるオンデマンドシグナリングを受信することを期待するように、同様ないくつかの予め定義されたＸタイミングウィンドウ内でオンデマンドシグナリングを送信することができ（図９（ｂ））、これらＸタイミングウィンドウは、周期的（Ｚ）に配列されるものであってもよい。上記所定の時間帯、タイミングウィンドウ及び周期は、いずれも基地局側及びＵＥ側にそれぞれ予め記憶されてもよいし、実際の状況に応じて基地局によって例えばａｌｗａｙｓ−ｏｎのＭＩＢ及びＳＩＢで通知されてもよい。
【００８４】
好ましくは、通信システムの干渉低減に対するニーズが変化するとき、基地局は、オンデマンドシグナリングを設定する必要があるか否かについて予め定義することができる。そのため、基地局は、さらに、ａｌｗａｙｓ−ｏｎのＭＩＢ及びＳＩＢでオン・オフ指示子の情報を利用してオンデマンドシグナリングの伝送のオン・オフ状態を指示することができるように構成されてもよい。オン・オフ指示子は、１ビットを占有してもよい。ＵＥがオンデマンドシグナリングトリガ信号を送信する前に、受信されるオン・オフ指示子が示す状態が「オン」であるとき、上記オンデマンド処理の方法によってオンデマンドシグナリングの伝送をトリガすることができる。オン・オフ指示子が示す状態が「オフ」であるとき、ＵＥは、オンデマンドシグナリングの伝送をトリガする必要がなく、基地局は、デフォルトの所定の１周期内に各オンデマンドシグナリング、例えばＳＩ_ｘ、ＳＩ_ｙ、ＭＲＳなどを送信する。
【００８５】
なお、本発明の他の一実施例において、オンデマンドシグナリング、例えばＳＩ_ｘ、ＳＩ_ｙ、ＭＲＳのうち１つ又は複数がすでに当該ＵＥ以外の他のＵＥによってトリガされたとき、基地局は、トリガされたオンデマンドシグナリングを所定の周期内に送信する。これにより、システムリソースを節約する観点から考えると、基地局は、例えばａｌｗａｙｓ−ｏｎのＭＩＢ及びＳＩＢに含まれる、ある一部のオンデマンドシグナリングがすでにトリガされ、かつ、所定の周期内に送信されるか否かを指示するための通知を行うように構成されてもよい。ＵＥがオンデマンドシグナリングトリガ信号を送信する前に、まず基地局によって送信される通知を受信することにより、ある一部のオンデマンドシグナリングをトリガする必要があるか否かを判断してもよい。ＵＥは、あるオンデマンドシグナリングがすでにトリガされ、所定の周期内で基地局よって送信されるということを通知を受信するとき、ある特定の周期内で当該オンデマンドシグナリングに対応するオンデマンドシグナリングトリガ信号を再送信しない。
【００８６】
マルチビームのシナリオにおいて、ＵＥは、ａｌｗａｙｓ−ｏｎのＭＩＢ及びＳＩＢによりビームの情報を認識し、好ましいビームに在圏する。この場合、ＵＥは、オンデマンド処理の方法を行うとき、オンデマンドシグナリングトリガ信号（例えば、Ｒｅｑｕｅｓｔ  ＩＤ）に、選択される好ましいビームの情報が含まれるようにすることができ、基地局の送信部１２２０は、すべてのビームで送信することではなく、当該好ましいビーム情報に応じてＵＥによって選択されるビームでオンデマンドシグナリングを送信することにより、システムリソースを節約し、シグナリングの伝送品質を最適化する。
【００８７】
こうしてみれば、本発明の実施例によって提供される通信システムにおける基地局は、ユーザ装置が基地局をトリガすることにより、通信システムにおける一部のシグナリングがオンデマンドシグナリングの形式で伝送されるようにすることができ、これにより、システムのエネルギー消費を低減し、従来技術における常時接続シグナリングによるネットワークの干渉を減少する。
【００８８】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００８９】
例えば、本発明の一実施の形態における無線基地局、ユーザ端末などは、本発明の伝送方法の処理を行うコンピュータとして機能してもよい。図１３は、本発明の一実施の形態に係るＵＥ１１００及び基地局１２００のハードウェア構成の一例を示す図である。上述のＵＥ１１００及び基地局１２００は、物理的には、プロセッサ１３０１、メモリ１３０２、ストレージ１３０３、通信装置１３０４、入力装置１３０５、出力装置１３０６、バス１３０７などを含むコンピュータ装置として構成されてもよい。
【００９０】
なお、以下の説明では、「装置」という文言は、回路、デバイス、ユニットなどに読み替えることができる。ＵＥ１１００及び基地局１２００のハードウェア構成は、各装置を１つ又は複数含むように構成されてもよいし、一部の装置を含まずに構成されてもよい。
【００９１】
ＵＥ１１００及び基地局１２００における各機能は、プロセッサ１３０１、メモリ１３０２などのハードウェア上に所定のソフトウェア（プログラム）を読み込ませることで、プロセッサ１３０１が演算を行い、通信装置１３０４による通信や、メモリ１３０２及びストレージ１３０３におけるデータの読み出し及び／又は書き込みを制御することで実現される。
【００９２】
プロセッサ１３０１は、例えば、オペレーティングシステムを動作させてコンピュータ全体を制御する。プロセッサ１３０１は、周辺装置とのインターフェース、制御装置、演算装置、レジスタなどを含む中央処理装置（ＣＰＵ：Central  Processing  Unit）で構成されてもよい。
【００９３】
また、プロセッサ１３０１は、プログラム（プログラムコード）、ソフトウェアモジュールやデータを、ストレージ１３０３及び／又は通信装置１３０４からメモリ１３０２に読み出し、これらの内容に従って各種の処理を実行する。プログラムとしては、上述の実施の形態で説明した動作の少なくとも一部をコンピュータに実行させるプログラムが用いられる。例えば、ＵＥ１１００の送信部１１１０は、メモリ１３０２に格納され、プロセッサ１３０１で動作する制御プログラムによって実現されてもよく、他の機能ブロックについても同様に実現されてもよい。上述の各種処理は、１つのプロセッサ１３０１で実行される旨を説明してきたが、２以上のプロセッサにより同時又は逐次に実行されてもよい。プロセッサ１３０１は、１以上のチップで実装されてもよい。なお、プログラムは、電気通信回線を介してネットワークから送信されても良い。
【００９４】
メモリ１３０２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ１３０２は、レジスタ、キャッシュ、メインメモリ（主記憶装置）などと呼ばれてもよい。メモリ１３０２は、本発明の一実施の形態に係る無線通信方法を実施するために実行可能なプログラム（プログラムコード）、ソフトウェアモジュールなどを保存することができる。
【００９５】
ストレージ１３０３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、フラッシュカード、フラッシュスティック、キードライブ)、フロッピー（floppy  disk  登録商標）ディスク、磁気ストリップなどの少なくとも１つで構成されてもよい。ストレージ１３０３は、補助記憶装置と呼ばれてもよい。上述の記憶媒体は、例えば、メモリ１３０２及び／又はストレージ１３０３を含むデータベース、サーバその他の適切な媒体であってもよい。
【００９６】
通信装置１３０４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００９７】
入力装置１３０５は、外部からの入力を受け付ける入力デバイス（例えば、キーボード、マウス、マイクロフォン、スイッチ、ボタン、センサなど）である。出力装置１３０６は、外部への出力を実施する出力デバイス（例えば、ディスプレイ、スピーカー、ＬＥＤランプなど）である。なお、入力装置１３０５及び出力装置１３０６は、一体となった構成（例えば、タッチパネル）であってもよい。
【００９８】
また、プロセッサ１３０１やメモリ１３０２などの各装置は、情報を通信するためのバスで接続される。バス１３０７は、単一のバスで構成されてもよいし、装置間で異なるバスで構成されてもよい。
【００９９】
また、ＵＥ１１００及び基地局１２００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１３０１は、前記ハードウェアの少なくとも１つで実装されてもよい。
【０１００】
基地局は、１つ又は複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局、及び／又は基地局サブシステムのカバレッジエリアの一部又は全体を指す。さらに、「基地局」「ｅＮＢ」、「セル」、及び「セクタ」という用語は、本明細書では互換的に使用され得る。基地局は、固定局（fixed  station）、ＮｏｄｅＢ、ｅＮｏｄｅＢ（ｅＮＢ）、アクセスポイント（access  point）、フェムトセル、スモールセルなどの用語で呼ばれる場合もある。
【０１０１】
ＵＥは、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１０２】
本明細書において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び／又は基地局以外の他のネットワークノード(例えば、ＭＭＥ又はＳ−ＧＷなどが考えられるが、これらに限られない)によって行われ得ることは明らかである。上記において基地局以外の他のネットワークノードが１つである場合を例示したが、複数の他のネットワークノードの組み合わせ(例えば、ＭＭＥ及びＳ−ＧＷ)であってもよい。
【０１０３】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。情報は、上位レイヤ(または下位レイヤ)から下位レイヤ(または上位レイヤ)へ出力され得る。複数のネットワークノードを介して入出力されてもよい。入出力される情報などは特定の場所(例えば、メモリ)に保存されてもよいし、管理テーブルで管理してもよい。入出力される情報などは、上書き、更新、または追記され得る。出力された情報などは削除されてもよい。入力された情報などは他の装置へ送信されてもよい。
【０１０４】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１０５】
本明細書又は特許請求の範囲で「含まれる」、「含む」、及びこれらの変形が使用されている場合、これらの用語は、用語「備える」と同様に、包括的であることが意図される。また、本明細書あるいは特許請求の範囲において使用されている用語「又は」は、排他的論理和ではないことが意図される。
【０１０６】
本明細書で説明した各態様／実施形態は単独で用いてもよいし、組み合わせて用いてもよいし、実行に伴って切り替えて用いてもよい。また、所定の情報の通知（例えば、識別情報の通知）は、明示的に行うものに限られず、暗黙的（例えば、当該所定の情報の通知を行わないこと）によって行われてもよい。
【０１０７】
以上、本発明について詳細に説明したが、本明細書において具体的な例を用いて本発明の原理及び実施形態について説明し、以上の実施例の説明は、単に本発明の方法及びその核心となる思想の理解を補助するためのものである。それとともに、当業者にとって、発明の思想に基づいて、具体的な実施形態及び適用範囲のいずれにも変更がある。以上により、本明細書の内容は、本発明に対する制限として理解されるべきではない。
【図１】
2020505846.tif 000003
【図２】
2020505846.tif 000004
【図３】
2020505846.tif 000005
【図４】
2020505846.tif 000006
【図５ａ】
2020505846.tif 000007
【図５ｂ】
2020505846.tif 000008
【図５ｃ】
2020505846.tif 000009
【図６】
2020505846.tif 000010
【図７】
2020505846.tif 000011
【図８】
2020505846.tif 000012
【図９】
2020505846.tif 000013
【図１０】
2020505846.tif 000014
【図１１】
2020505846.tif 000015
【図１２】
2020505846.tif 000016
【図１３】
2020505846.tif 000017
【国際調査報告】
2020505846.tif 000018
2020505846.tif 000019
2020505846.tif 000020
2020505846.tif 000021